(57)【特許請求の範囲】
【請求項１】
クリップの通路及びこれに連なる口部を含むケースと、当該ケースに収容されるとともに、前記口部内に外側から書類を差し込むことで当該書類を挟み込み可能としたクリップを備え、
前記クリップは、対をなす第１及び第２の挟持部と、これら挟持部の後端側間に位置する背部とにより側面視コ字状に設けられるとともに、第１の挟持部の前端から第２の挟持部の後部側に向けられた押さえ部を含み、当該クリップは、前記コ字状の開放側が口部側に向く状態で前記通路内に収容されるとともに、第１及び第２の挟持部の外面側最大幅は前記口部の最小開口幅よりも大きく設定され、
前記ケースは、前記通路の底面を形成するベースと、このベースの前部に段部を介して面位置を低くするように設けられて最先のクリップの後方移動を規制するように当該クリップを待機させる待機部と、この待機部からケース前端までの間に形成された下口部形成部と、当該下口部形成部と相互に作用して前記口部を形成する上口部形成部とを含み、
前記口部の前端から前記待機部に位置するクリップの挟持部間に書類を差し込み、前記押さえ部で書類を挟み込ませて当該書類を引き抜くようにしたときに、前記下口部形成部が変位して前記口部の開口幅を拡開し、前記クリップが口部から抜き出し可能に設けられていることを特徴とするクリップ装着器。
【請求項２】
前記待機部は、前記クリップの背部側に位置するストッパ部を備えていることを特徴とする請求項１記載のクリップ装着器。
【請求項３】
前記待機部は、前記クリップの背部側に位置するストッパ部を備えている一方、クリップの背部には前記ストッパ部の受容部が形成されていることを特徴とする請求項１記載のクリップ装着器。
【発明の詳細な説明】
【０００１】
【発明の属する技術分野】
本発明は一対の挟持部を備えたクリップの装着器に係り、更に詳しくは、クリップを押し出すための操作部材と、挟持部を強制的に拡開させるための部材を一掃した簡易型のクリップ装着器に関する。
【０００２】
【従来の技術】
公知のクリップ装着器としては、内部にクリップの通路とこれに連なる口部を有するケースと、このケースに設けられた操作部材とを備えて構成されている。操作部材は、ケースを形成する上壁側に位置して前後方向にスライド移動可能に設けられ、当該操作部材を口部側に押圧しながらスライドさせることで、前記通路内に位置する最先端のクリップを口部から押し出しつつ当該クリップで書類の挟み込みが行えるようになっている。
【０００３】
【発明が解決しようとする課題】
しかしながら、このようなクリップ装着器にあっては、クリップを一つずつ押し出すための操作部材が必須の構成要素となり、部品点数が増大して構造が複雑になるという不都合がある。しかも、操作部材を口部側にスライドさせた後に、当該操作部材を初期位置に後退させるためのコイルばね等も必要となり、当該コイルばねの組み立て作業も面倒になるという不都合がある。
【０００４】
【発明の目的】
本発明は、このような不都合に着目して案出されたものであり、その目的は、操作部材を設ける必要が全くないとともに、組み立ても極めて簡単に行うことのできるクリップ装着器を提供することにある。
【０００５】
【課題を解決するための手段】
前記目的を達成するため、本発明は、クリップの通路及びこれに連なる口部を含むケースと、当該ケースに収容されるとともに、前記口部内に外側から書類を差し込むことで当該書類を挟み込み可能としたクリップを備え、
前記クリップは、対をなす第１及び第２の挟持部と、これら挟持部の後端側間に位置する背部とにより側面視コ字状に設けられるとともに、第１の挟持部の前端から第２の挟持部の後部側に向けられた押さえ部を含み、当該クリップは、前記コ字状の開放側が口部側に向く状態で前記通路内に収容されるとともに、第１及び第２の挟持部の外面側最大幅は前記口部の最小開口幅よりも大きく設定され、
前記ケースは、前記通路の底面を形成するベースと、このベースの前部に段部を介して面位置を低くするように設けられて最先のクリップの後方移動を規制するように当該クリップを待機させる待機部と、この待機部からケース前端までの間に形成された下口部形成部と、当該下口部形成部と相互に作用して前記口部を形成する上口部形成部とを含み、
前記口部の前端から前記待機部に位置するクリップの挟持部間に書類を差し込み、前記押さえ部で書類を挟み込ませて当該書類を引き抜くようにしたときに、前記下口部形成部が変位して前記口部の開口幅を拡開し、前記クリップが口部から抜き出し可能に設けられる、という構成を採っている。本発明においては、書類を口部に差し込んだときに当該書類がクリップで挟み込まれるようになる。従って、その後に書類を口部から引き出すことで、クリップが書類に付随した状態で後部から抜き出し可能となる。従って、従来のクリップ装着器のように、クリップを押し出しながら当該クリップで書類を挟み込むための操作部材を採用する必要が全くなく、極めて簡単な構成でクリップ装着器を提供することができる。また、クリップの挟持部を強制的に開くようにするための金属片からなる拡開用ガイド部材をケース内に設ける必要も排除することができる。
【０００６】
【発明の実施の形態】
本発明において、前記待機部は、前記クリップの背部側に位置するストッパ部を備えるようにするとよい。また、クリップの背部側にストッパ部を設ける一方、クリップの背部にストッパ部の受容部を形成することが一層好ましい。このような構成を採用することで、書類を外側から口部に差し込んで当該書類をクリップで挟み込む作用を確実に行わせることが可能となる。
【０００９】
なお、本明細書において、「前」とは口部側を示す一方、「後」とは、口部の反対側、すなわち後述するクリップ挿入口側を示す。また、「左右」、「上下」は、口部側を正面に見た状態、すなわち、図７（Ａ）を基準として用いられる。
【００１０】
【実施例】
以下、本発明の実施例を図面を参照しながら説明する。
【００１１】
図１には、本実施例に係るクリップ装着器の概略斜視図が示され、図２には、図１のＡ−Ａ線に沿う矢視拡大断面図が示されている。また、図３には、クリップ装着器の分解斜視図が示されている。これらの図において、クリップ装着器１０は、ケース１１と、このケース１１内に収容されるクリップＣとを備えて構成されている。
【００１２】
ケース１１は、図３に示されるように、下ケース１２と、上ケース１３との二分割構造とされ、これらを相互に嵌合させた状態で、クリップＣの通路１５と、これに連なる口部１６と、当該口部１６の反対側に位置するクリップ挿入口１７が形成されるようになっている。下ケース１２は、図４ないし図８にも示されるように、略扁平で細長い全体形状をなし、その上面が、通路１５の底面１８を形成するベース１９と、このベース１９の前部に設けられた待機部２０と、ベース１９の後部に設けられたクリップ脱落防止部２１とを備えて構成されている。
【００１３】
前記ベース１９は、左右両側すなわち短寸幅方向両側に一対のベース側壁２５，２５を備え、これらのベース側壁２５，２５の長手方向に沿う下部外面側三箇所には凹部２６がそれぞれ形成され、これらの凹部２６を利用して上ケース１３が嵌合可能となっている。また、ベース１９の前部領域における底面１８上には、ベース側壁２５，２５の内側に位置する姿勢変位部としての一対のガイドリブ２７，２７がベース１９の長手方向に沿って相互に略平行に形成されている。これらガイドリブ２７，２７の前端部間には、前端面位置がガイドリブ２７，２７の前端面よりも若干前方に位置するストッパ部２８が左右方向に沿って形成されている。ここで、ガイドリブ２７，２７は、長手方向中間位置が僅かに高くなる緩やかな傾斜をなし、最先端に位置するクリップＣの一つ後方に位置するクリップＣを、前部が後部よりも高くなる後方傾斜姿勢に保持可能とする。なお、ベース１９の後部左右二箇所には一対のスロット２９，２９が形成されている。
【００１４】
ベース１９の前部側において、前記待機部２０から下ケース１２の前端までの領域に下口部形成部３２が形成されている。待機部２０は、段部３３を介してベース１９の底面１８よりも面位置が低く設定された前部底面３４と、この前部底面３４の左右両側に位置する一対の前部側壁３５，３５とを備えて構成されている。待機部２０において、前部底面３４の前後方向中間部分から下口部形成部３２の前端にかけて左右一対のスロット３７，３７が形成されている。また、下口部形成部３２は、前端に向かうに従って下向きに傾斜した面形状に設けられている。なお、図３中符号３９は、前記ストッパ部２８を成形する便宜のために設けられた穴を示す。
【００１５】
前記上ケース１３は、図９ないし図１４に示されるように、下ケース１２と同様に長手方向に延びる上壁４０と、この上壁４０の左右両側、すなわち短寸幅方向両側から垂下した一対の上側壁４１，４１とを備えて構成されている。上壁４０は、その前部側上面中央領域に、例えば、親指の腹を乗せるように適した波形隆起面部４２を備えた形状に設けられている。この一方、上壁４０の下面側には、短寸幅方向二箇所に一対の片状リブ４４，４４が前後方向に沿って形成され、これらの片状リブ４４，４４の下端面と下ケース１２の底面１８との間が通路１５を形成することとなる。また、上ケース１３の前部は、前記下ケース１２の下口部形成部３２と相互に作用して口部１６を形成する上口部形成部４５として形成され、当該上口部形成部４６の下面側には、左右方向二箇所に一対の補強リブ４８，４８が形成されている。なお、上壁４０は、その後端側にコ字状の切欠部４９が形成され、当該切欠部４９によってクリップ挿入口１７を形成できるようになっている。
【００１６】
前記上側壁４１，４１は、上ケース１３の後端側及び前端側一定領域が相対的に垂下幅が小さくされて下ケース１２に嵌合させたときの形状の整合が図られるようになっている。上側壁４１，４１の内面側における長手方向三箇所には爪部５１（図１３等参照）が形成され、これらの爪部５１が下ケース１２の凹部２６に嵌合することによってケース１１が形成される。
【００１７】
前記クリップＣは、図３に示されるように、相互に略平行に位置して一対をなす第１及び第２の挟持部５５，５６と、これら第１及び第２の挟持部５５，５６の後端側間に位置する背部５７と、第１の挟持部５５の前端から第２の挟持部５６の後部側に向かって延びる片状の押え部５８とにより構成されている。第１及び第２の挟持部５５，５６の外面側最大幅は口部１６の最小開口幅よりも若干大きく設定されている。また、これらの外面側には、図２中紙面直交方向に延びる複数の凸部６０が形成されており、これらの凸部６０によって書類Ｐ（図１５参照）をクリップＣが挟み込んだ状態から取り外す際の滑り止めが図られるようになっている。
【００１８】
また、クリップＣの背部５７の外面側には、図２中紙面直交方向に沿う受容部としての凹部６２が形成され、前記待機部２０にクリップＣが位置したときに、凹部６２内にストッパ部２８が受容されるようになっている。本実施例における凹部６２の溝幅は、ストッパ部２８の上下幅若しくは厚みよりも大きく設けられてルーズな受容状態となるが、凹部６２は、ストッパ部２８に略ぴったりと嵌合する程度の溝幅としてもよい。また、ストッパ部２８を凹部とする一方、クリップＣの背部５７に凸部を形成し、当該凸部を凹部に受容するようにしてもよい。何れにしても、後述する書類Ｐの差し込み時に、クリップＣが待機部２０から後退する方向に移動できないように設けられていれば足りる。
【００１９】
前記押え部５８は、その先端が第２の挟持部５６の内面側に略接触する位置を初期位置とし、書類Ｐを第１及び第２の挟持部５５，５６間に差し込むときの力で上方に変位して書類Ｐの差し込みを許容する板ばね作用を奏するようになっている。
【００２０】
なお、本実施例におけるケース１１、クリップＣは、特に限定されるものではないが、それぞれ合成樹脂成形品によって構成されており、従って、クリップ装着器１０のケース１１は、型による量産特性を備えた下ケース１２と上ケース１３との単なる組み合わせによって構成することができる。
【００２１】
次に、本実施例に係るクリップ装着器１０の使用方法について、図１５をも参照しながら説明する。
【００２２】
先ず、クリップ挿入口１７から通路１５内にクリップＣを挿入する。この挿入を行う際には、下ケース１２におけるクリップ脱落防止部２１領域のベース１９部分がスロット２９の存在下で若干下方に変位してクリップ挿入口１７を僅かに拡開させる。従って、一旦挿入されたクリップＣは、クリップ脱落防止部２１によって脱落することがない。
【００２３】
このようにしてクリップＣを順次挿入すると、最も先端側に送り出されたクリップＣが待機部２０上に落ち込むようにして位置することとなる（図１５（Ａ）参照）。この際、第１及び第２の挟持部５５，５６の外面側最大幅は口部１６の最小開口幅よりも僅かに大きく設定されているため、当該口部１６からクリップＣが自然に抜け出てしまう虞はない。
【００２４】
この状態で、図１５（Ａ）,（Ｂ）に示されるように、書類Ｐを口部１６に向け、当該書類Ｐの差し込み側端縁を背部５７の内面に突き当たる位置まで差し込む。このとき、押え部５８は初期位置から角度変位して書類Ｐの差し込みを許容する一方、常に、初期位置に戻ろうとする弾性復元力を挟持力として書類Ｐに付与し続けることとなる。このような書類Ｐの差し込みに際し、最先端のクリップＣは、後方へ押し込まれる力を受けることになるが、当該クリップＣは、その背部５７に形成された凹部６２内にストッパ部２８が受容されて係り合う状態になるため、クリップＣの後退規制は確実に行われることとなる。
【００２５】
次いで、図１５（Ｃ）に示されるように、クリップＣによって挟み込まれた書類Ｐを口部１６から引き抜くようにする。この際、下口部形成部３２はスロット３７の存在によって若干下向きに変位して口部１６の開口幅を拡開するようになり、口部１６からの抜き出しを許容することで、複数枚に積層された書類Ｐを一つにまとめた挟み込みを行うことができる。
【００２６】
書類Ｐを挟み込んだクリップＣを取り外すときは、第１及び第２の挟持部５５，５６の各外面側を指先で挟み込んで抜き抜く外力を付与することによって行うことができる。
【００２７】
なお、待機部２０に位置するクリップＣが抜き出された後は、クリップ装着器１０の後部を若干持ち上げて、次に位置しているクリップＣを待機部２０に落とし込むようにすればよく、これにより、次なる書類Ｐを挟み込むことができる。
【００２８】
従って、このような実施例によれば、従来のような操作部材を用いる必要を一掃して、クリップ装着器１０の後部を前部に対して相対的に高くする操作で最先端に位置するクリップＣを待機部２０に位置させることができ、常に、書類Ｐを極めて簡単に挟み込む位置に保つことが可能となる。
【００２９】
なお、本発明に係るクリップ装着器１０は、前記実施例に限定されるものではなく、例えば、図１６ないし図１８に示されるタイプのクリップ装着器１０とすることもできる。この構成は、クリップＣ（図１７参照）の背部５７に凹部が形成されていないタイプのクリップＣを対象としたものである。そのため、下ケース１２のガイドリブ２７の先端間に前述したストッパ部を設けずに、当該ガイドリブ２７の先端面がクリップＣの背部５７に直接突き当たるストッパ部２７Ａとして作用するように構成されている。
【００３０】
また、波形隆起部４２の後部を除く外周に平面視略コ字状のスロット６５を形成し、当該波形隆起部４２の前部が上下方向に変位できるように構成されている。この波形隆起部４２は、クリップＣで書類Ｐを挟み込むときに、例えば、親指の腹で押圧される。そして、当該波形隆起部４２の下面側に形成されているリブ６６の直下に位置するクリップＣを押し付けておき、待機部２０に位置するクリップＣに向かって外側から書類Ｐを差し込んだときに、当該クリップＣが下ケース１２の底面側に乗り上がらないようになっている。また、待機部２０にクリップＣが位置し、リブ６６の直下にクリップＣが存在しないような場合でも、波形隆起部４２を押圧することで、当該波形隆起部４２の先端部がクリップＣの背部５７の後ろに位置するようになり、これにより、待機部２０に位置するクリップＣに書類Ｐが差し込まれても下ケース１２の底面側に乗り上がることはない。
【００３１】
従って、このような構成によっても、前記実施例と略同様の効果を得ることができる。
【００３２】
【発明の効果】
以上説明したように、本発明によれば、クリップが書類を挟み込んだ状態で当該書類を口部より引き抜くことでクリップが口部から抜き出し可能に設けられる構成としたから、クリップを押し出しながら当該クリップで書類を挟み込む操作部材を採用する必要が全くないため、極めて簡単な構成でクリップ装着器を提供することができる。しかも、型による成形品を単に組み合わせるだけで形成することが可能となり、壊れ難いばかりでなく、組み立て作業も極めて簡単なものとすることができ、従来品に比べて廉価にて提供することが可能となる。
【００３３】
また、クリップ装着器の通路先端側に待機部を設け、この待機部が、書類を口部から差し込んだ時にクリップの移動を規制する構成とされているから、クリップによる書類挟み込みを確実に行うことが可能となる。しかも、待機部において、クリップの背部側にストッパ部を設け、クリップの背部にストッパ部の受容部を形成すれば、クリップの移動を確実に規制し、常に安定した状態でクリップによる挟み込みを行うことができる。
【００３４】
また、本発明に係るクリップは、ケース内に収容された状態で口部側に開放する一対の挟持部と、これら挟持部間に設けられた押え部を備え、書類を口部に差し込んだ時に押え部が書類の差し込みを許容するように変形する構成であるため、クリップの口部側を強制的に開くようにするためのガイドをケースに設ける必要も一掃することができる。
【００３５】
更に、前記待機部の手前に姿勢変位部を設けた場合には、待機部にクリップを移動させるべくクリップ装着器を前傾したときに、当該クリップの先端が姿勢変位部を越えて待機部に移動するのに伴い、当該クリップの背部下側とケース内面との間に隙間が生じることとなり、その隙間に次のクリップの一方の挟持部が入り込むことを効果的に防止することができる。従って、待機部に位置するクリップは常に書類の差し込みが行える姿勢に維持される。
【図面の簡単な説明】
【図１】実施例に係るクリップ装着器の概略斜視図。
【図２】図１のＡ−Ａ線に沿う矢視拡大断面図。
【図３】前記クリップ装着器の分解斜視図。
【図４】（Ａ）は下ケースの平面図、（Ｂ）は同底面図。
【図５】（Ａ）は下ケースの正面図、（Ｂ）は図４（Ａ）のＢ−Ｂ線に沿う断面図。
【図６】図４（Ａ）のＣ−Ｃ線に沿う断面図。
【図７】（Ａ）は図４（Ａ）のＤ−Ｄ線に沿う拡大断面図、（Ｂ）は下ケースの図４（Ａ）の左拡大側面図。
【図８】（Ａ）は図４（Ａ）のＥ-Ｅ線に沿う拡大端面図、（Ｂ）は同Ｆ−Ｆ線に沿う拡大端面図、（Ｃ）は同右拡大側面図。
【図９】（Ａ）は上ケースの平面図、（Ｂ）は同底面図。
【図１０】（Ａ）は上ケースの正面図、（Ｂ）は図９（Ａ）のＧ−Ｇ線に沿う断面図。
【図１１】上ケースの左拡大側面図。
【図１２】上ケースの右拡大側面図。
【図１３】図９（Ａ）のＨ−Ｈ線に沿う拡大端面図。
【図１４】図９（Ａ）のＩ-Ｉ線に沿う拡大端面図。
【図１５】（Ａ）〜（Ｄ）は本実施例の作用説明図。
【図１６】本発明の変形例を示すクリップ装着器の概略斜視図。
【図１７】前記変形例の分解斜視図。
【図１８】図１６のＫ−Ｋ線に沿う拡大断面図。
【符号の説明】
１０  クリップ装着器
１１  ケース
１５  通路
１６  口部
２０  待機部
２７  ガイドリブ（姿勢変位部）
２７Ａ  ストッパ部
２８  ストッパ部
５５  第１の挟持部
５６  第２の挟持部
５７  背部
５８  押え部
６２  凹部（受容部）
Ｃ  クリップ
【図１】
0004710196.tif 000002
【図２】
0004710196.tif 000003
【図３】
0004710196.tif 000004
【図４】
0004710196.tif 000005
【図５】
0004710196.tif 000006
【図６】
0004710196.tif 000007
【図７】
0004710196.tif 000008
【図８】
0004710196.tif 000009
【図９】
0004710196.tif 000010
【図１０】
0004710196.tif 000011
【図１１】
0004710196.tif 000012
【図１２】
0004710196.tif 000013
【図１３】
0004710196.tif 000014
【図１４】
0004710196.tif 000015
【図１５】
0004710196.tif 000016
【図１６】
0004710196.tif 000017
【図１７】
0004710196.tif 000018
【図１８】
0004710196.tif 000019